(57)【要約】【課題】洗浄液噴射流による効果と気泡による効果を共に利用して高い洗浄効率で根管を洗浄する。【解決手段】本発明は根管を洗浄する根管治療装置、根管を充填する根管治療装置または根管を洗浄および充填する根管治療装置に関する。本発明に係る根管を洗浄する根管治療装置は、外部から供給された洗浄液または充填物が貯蔵される貯蔵容器、前記貯蔵容器内に貯蔵された洗浄液または充填物に超音波を印加させる超音波発振器および前記貯蔵容器内で超音波が印加された洗浄液または充填物を根管の周囲に噴射する噴射口および前記根管内の洗浄液または根管内の気泡を吸入する吸入口が形成されたノズルを含み、前記根管を洗浄したり、根管内に充填物を充填する。【選択図】図２
2020520742.tif 000002
【特許請求の範囲】
【請求項１】
外部から供給された洗浄液が貯蔵される貯蔵容器と、
前記貯蔵容器内に貯蔵された洗浄液に超音波を印加させる超音波発振器と、
前記貯蔵容器内で超音波が印加された洗浄液を根管の周囲に噴射する噴射口が形成された噴射管および前記根管内の洗浄液を吸入する吸入口が形成された吸入管を具備するノズルと、を含み、
前記根管を洗浄する、根管治療装置。
【請求項２】
前記超音波発振器は前記洗浄液に超音波を印加させて気泡を生成させる、請求項１に記載の根管治療装置。
【請求項３】
前記ノズルの噴射口は直線状に貫通するホールで形成され、
前記ノズルの吸入口は前記噴射口を囲むように環状に形成される、請求項１に記載の根管治療装置。
【請求項４】
前記ノズルは、
前記噴射口から噴射される洗浄液を０゜〜９０゜傾けて噴射する傾斜口が形成され、前記噴射管の一端から突出形成される傾斜管；をさらに含む、請求項３に記載の根管治療装置。
【請求項５】
前記傾斜口は、前記噴射口の一端の中心から放射状に少なくとも一つ以上形成される、請求項４に記載の根管治療装置。
【請求項６】
前記傾斜口は前記噴射口の一端の中心から放射状全体に洗浄液を噴射するように形成される、請求項４に記載の根管治療装置。
【請求項７】
前記傾斜口は前記傾斜管の端部に複数のホールで形成される、請求項４に記載の根管治療装置。
【請求項８】
根管を充填させる充填物が貯蔵される貯蔵容器と、
前記貯蔵容器内に貯蔵された充填物に超音波を印加させる超音波発振器と、
前記貯蔵容器内で超音波が印加された充填物を前記根管の周囲に吐出する噴射口が形成された噴射管および前記根管内の空気を吸入する吸入口が形成された吸入管を具備するノズルと、を含み、
前記根管を充填させる、根管治療装置。
【請求項９】
前記貯蔵容器内の充填物を加圧して前記充填物を前記ノズルの噴射口から吐出させる加圧部をさらに含む、請求項８に記載の根管治療装置。
【請求項１０】
前記充填物は流動性のある根管充填物質（ｆｌｏｗａｂｌｅ  ｒｏｏｔ  ｃａｎａｌ  ｆｉｌｌｉｎｇ  ｍａｔｅｒｉａｌｓ）で形成される、請求項８に記載の根管治療装置。
【請求項１１】
前記ノズルの噴射口は直線に貫通するホールで形成され、
前記ノズルの吸入口は前記噴射口を囲むように環状に形成される、請求項８に記載の根管治療装置。
【請求項１２】
前記ノズルは、
前記噴射口から噴射される充填物を０゜〜９０゜傾けて噴射する傾斜口が形成され、前記噴射管の一端から突出形成される傾斜管をさらに含む、請求項１１に記載の根管治療装置。
【請求項１３】
前記傾斜口は、前記噴射口の一端の中心から放射状に少なくとも一つ以上形成される、請求項１２に記載の根管治療装置。
【請求項１４】
洗浄液または根管を充填させる充填物が貯蔵される貯蔵容器と、
前記貯蔵容器内に貯蔵された洗浄液または充填物に超音波を印加させる超音波発振器と、
前記貯蔵容器内で超音波が印加された洗浄液または充填物を根管の周囲に吐出する噴射口が形成された噴射管および前記洗浄液を吸入したり前記根管内の空気を吸入する吸入口が形成された吸入管を具備するノズルと、を含み、
前記根管を洗浄および充填させる、根管治療装置。
【請求項１５】
前記貯蔵容器に連結されて前記貯蔵容器に前記洗浄液を供給する洗浄液貯蔵部と、
前記貯蔵容器に連結されて前記貯蔵容器に前記充填物を供給する充填物貯蔵部と、をさらに含む、請求項１４に記載の根管治療装置。
【請求項１６】
前記充填物は流動性のある根管充填物質（ｆｌｏｗａｂｌｅ  ｒｏｏｔ  ｃａｎａｌ  ｆｉｌｌｉｎｇ  ｍａｔｅｒｉａｌｓ）で形成される、請求項１４に記載の根管治療装置。
【請求項１７】
前記ノズルの噴射口は直線状に貫通するホールで形成され、
前記ノズルの吸入口は前記噴射口を囲むように環状に形成される、請求項１４に記載の根管治療装置。
【請求項１８】
前記ノズルは、
前記噴射口から噴射される洗浄液または充填物を０゜〜９０゜傾けて噴射し、前記噴射管の一端から突出形成される傾斜口が形成される傾斜管をさらに含む、請求項１７に記載の根管治療装置。
【請求項１９】
前記傾斜口は、前記噴射口の一端の中心から放射状に少なくとも一つ以上形成される、請求項１８に記載の根管治療装置。
【発明の詳細な説明】
【技術分野】
【０００１】
本発明は根管治療装置に関し、より詳細には歯の根管を洗浄し、洗浄した根管に充填物を充填させ、根管の洗浄および充填を同時に遂行できる根管治療装置に関する。
【背景技術】
【０００２】
１９６７年にＫａｋｅｙａｓｈ等が最初に歯髄炎症の主な原因が細菌であることを無菌ネズミで証明してから、炎症反応を通じて根管の内部において群落をなす細菌であるバイオフィルムおよび壊死組織が炎症反応の主な原因要素であることが究明された。したがって、成功的な神経治療の有無を決定するにおいて、根管に存在する細菌および壊死組織を完全に除去し、増殖を防ぐことが最も重要である。
【０００３】
このような根管の治療過程は、大きく根管の形成、根管の洗浄、根管の充填の３つの段階で構成される。
【０００４】
根管の洗浄過程はｅｎｄｏｄｏｎｔｉｃ  ｆｉｌｅを利用して腐った神経を一次的に除去した後に行われ、感染微生物の除去に必須であるため、神経治療の成功率に重要な影響を及ぼす過程である。
【０００５】
しかし、根管内の汚染物質が洗浄によってｓｃｏｒｅ０水準（根管内に指定された部位に存在する残渣量が１０％未満である場合）に除去されたとしても、根管の密閉が完ぺきでなければ残存する細菌が栄養分の供給を受けて増殖する危険がある。したがって、洗浄後の根管を充填物で密閉させる過程を経ることになる。
【０００６】
従来、根管の洗浄のために、歯の根管内に洗浄液を満たして超音波を発振するチップ（ｔｉｐ）を挿入して根管を洗浄する装置であるＰＵＩ（ｐａｓｓｉｖｅ  ｕｌｔｒａｓｏｎｉｃ  ｉｒｒｉｇａｔｉｏｎ）が知られているが、これは根管にチップを挿入するために根管の拡張が必要であり、湾曲が激しい根管の場合、チップの挿入に困難があるという問題点がある。
【０００７】
また、従来、根管の充填のために、ｓｙｒｉｎｇｅ−ｎｅｅｄｌｅを利用して根管内に充填物質を注入する方法が知られているが、充填物質の高い粘度と根管内に存在している空気が抵抗として作用するため、歯の末端部分まで注入するのに限界があった。
【発明の概要】
【発明が解決しようとする課題】
【０００８】
したがって、本発明の目的は、このような従来の問題点を解決するためのものであって、貯蔵容器に収容された洗浄液に超音波を印加させて気泡を生成して噴射させることによって、洗浄液噴射流による効果と気泡による効果を共に利用して高い洗浄効率で根管を洗浄する根管治療装置を提供することにある。
【０００９】
また、貯蔵容器に収容された充填物に超音波を印加させて根管に吐出させるとともに根管内の空気を吸入するようにして、複雑な形状の根管内に効果的に充填物の充填が可能な根管治療装置を提供することにある。
【００１０】
本発明が解決しようとする課題は以上で言及した課題に制限されず、言及されていないさらに他の課題は下記の記載から当業者に明確に理解されるはずである。
【課題を解決するための手段】
【００１１】
実施例に係る根管治療装置を説明する。根管治療装置は、外部から供給された洗浄液が貯蔵される貯蔵容器、前記貯蔵容器内に貯蔵された洗浄液に超音波を印加させる超音波発振器および前記貯蔵容器内で超音波が印加された洗浄液を根管の周囲に噴射する噴射口が形成された噴射管および前記根管内の洗浄液を吸入する吸入口が形成された吸入管を備えるノズルを含み、前記根管を洗浄することができる。
【００１２】
一側面によると、前記超音波発振器は前記洗浄液に超音波を印加させて気泡を生成させることができる。
【００１３】
一側面によると、前記ノズルの噴射口は直線状に貫通するホールで形成され、前記ノズルの吸入口は前記噴射口を囲むように環状に形成され得る。
【００１４】
一側面によると、前記ノズルは前記噴射口から噴射される洗浄液を０?乃至９０?傾けて噴射する傾斜口が形成され、前記噴射管の一端から突出形成される傾斜管をさらに含むことができる。
【００１５】
一側面によると、前記傾斜口は前記噴射口の一端の中心から放射状に少なくとも一つ以上形成され得る。
【００１６】
一側面によると、前記傾斜口は前記噴射口の一端の中心から放射状全体に洗浄液を噴射するように形成され得る。
【００１７】
一側面によると、前記傾斜口は前記傾斜管の端部に複数のホールで形成され得る。一側面によると、前記ノズルの吸入口に連結形成される吸入ポンプをさらに含むことができる。他の実施例に係る根管治療装置を説明する。
【００１８】
根管治療装置は、根管を充填させる充填物が貯蔵される貯蔵容器、前記貯蔵容器内に貯蔵された充填物に超音波を印加させる超音波発振器および前記貯蔵容器内で超音波が印加された充填物を前記根管の周囲に吐出する噴射口が形成された噴射管および前記根管内の空気を吸入する吸入口が形成された吸入管を備えるノズルを含み、前記根管を充填させることができる。
【００１９】
一側面によると、前記貯蔵容器内の充填物を加圧して前記充填物を前記ノズルの噴射口から吐出させる加圧部をさらに含むことができる。
【００２０】
一側面によると、前記充填物は流動性のある根管充填物質（ｆｌｏｗａｂｌｅ  ｒｏｏｔ  ｃａｎａｌ  ｆｉｌｌｉｎｇ  ｍａｔｅｒｉａｌｓ）で形成され得る。
【００２１】
一側面によると、前記ノズルの噴射口は直線に貫通するホールで形成され、前記ノズルの吸入口は前記噴射口を囲むように環状に形成され得る。
【００２２】
一側面によると、前記ノズルは前記噴射口から噴射される洗浄液を０?乃至９０?傾けて噴射する傾斜口が形成され、前記噴射管の一端から突出形成される傾斜管をさらに含むことができる。
【００２３】
一側面によると、前記傾斜口は前記噴射口の一端の中心から放射状に少なくとも一つ以上形成され得る。
【００２４】
一側面によると、前記傾斜口は前記噴射口の一端の中心から放射状全体に充填物を噴射するように形成され得る。
【００２５】
一側面によると、前記傾斜口は前記傾斜管の端部に複数のホールで形成され得る。
【００２６】
一側面によると、前記ノズルの吸入口に連結形成される吸入ポンプをさらに含むことができる。
【００２７】
さらに他の実施例に係る根管治療装置を説明する。根管治療装置は、洗浄液または根管を充填させる充填物が貯蔵される貯蔵容器、前記貯蔵容器内に貯蔵された洗浄液または充填物に超音波を印加させる超音波発振器および前記貯蔵容器内で超音波が印加された洗浄液または充填物を根管の周囲に吐出する噴射口が形成された噴射管および前記洗浄液を吸入したり前記根管内の空気を吸入する吸入口が形成された吸入管を備えるノズルを含み、前記根管を洗浄および充填させることができる。
【００２８】
一側面によると、前記貯蔵容器に連結されて前記貯蔵容器に前記洗浄液を供給する洗浄液貯蔵部および前記貯蔵容器に連結されて前記貯蔵容器に前記充填物を供給する充填物貯蔵部をさらに含むことができる。
【００２９】
一側面によると、前記充填物は流動性のある根管充填物質（ｆｌｏｗａｂｌｅ  ｒｏｏｔ  ｃａｎａｌ  ｆｉｌｌｉｎｇ  ｍａｔｅｒｉａｌｓ）で形成され得る。
【００３０】
一側面によると、前記ノズルの噴射口は直線状に貫通するホールで形成され、前記ノズルの吸入口は前記噴射口を囲むように環状に形成され得る。
【００３１】
一側面によると、前記ノズルは前記噴射口から噴射される洗浄液または充填物を０?乃至９０?傾けて噴射する傾斜口が形成され、前記噴射管の一端から突出形成される傾斜管をさらに含むことができる。
【００３２】
一側面によると、前記傾斜口は前記噴射口の一端の中心から放射状に少なくとも一つ以上形成され得る。
【００３３】
一側面によると、前記傾斜口は前記噴射口の一端の中心から放射状に洗浄液または充填物を噴射するように形成され得る。
【００３４】
一側面によると、前記傾斜口は前記傾斜管の端部に複数のホールで形成され得る。
【００３５】
一側面によると、前記ノズルの吸入口に連結形成される吸入ポンプをさらに含むことができる。
【発明の効果】
【００３６】
前述したような本発明の根管治療装置によると、貯蔵容器内の洗浄液に超音波を利用して気泡を生成させて噴射させることによって、噴射流による根管の洗浄効果だけでなく気泡による洗浄効果を共に利用するため、洗浄効率が高いという長所がある。
【００３７】
また、噴射口を通じての洗浄液の噴射とともに、噴射口に隣接して配置された吸入口を通じて根管の洗浄液を吸入するようにすることによって、洗浄効率を高めるとともに洗浄液の流出による副作用を防止できるという長所もある。
【００３８】
また、粘度の高い充填物に超音波を印加させることによって充填物内に互いに結合されている微細粒子を分散させて粘度を下げ、根管内の空気を吸入して空気による抵抗を除去させることによって、歯の末端まで充填物を稠密に充填させることができるという長所もある。
【００３９】
実施例に係る根管治療装置の効果は以上で言及されたものに限定されず、言及されていない他の効果は下記の記載から通常の技術者に明確に理解されるであろう。
【図面の簡単な説明】
【００４０】
【図１ａ】根管治療過程のうち歯髄組織に炎症が発生した姿を概略的に図示する図面である。
【図１ｂ】根管治療過程のうち感染した歯髄組織を除去した姿を概略的に図示する図面である。
【図１ｃ】根管治療過程のうち根管の歯髄組織を除去する姿を概略的に図示する図面である。
【図１ｄ】根管治療過程のうち充填物の充填の姿を概略的に図示する図面である。
【図２】本発明の一実施例に係る根管治療装置を図示する図面である。
【図３】本発明の一実施例に係るノズルの側断面図である。
【図４】図３の底面図である。
【図５】本発明に係る根管治療装置を利用して洗浄を行う過程を拡大して示した写真である。
【図６】本発明の他の実施例に係る根管治療装置を図示する図面である。
【図７】本発明の他の実施例に係るノズルの側断面図である。
【図８】本発明のさらに他の実施例に係るノズルの側断面図である。
【図９】本発明のさらに他の実施例に係るノズルの側断面図である。
【図１０】図９のＸ−Ｘ切開線に沿った正断面図である。
【図１１】本発明のさらに他の実施例に係るノズルの側断面図である。
【図１２】図１１の底面図である。
【図１３】本発明のさらに他の実施例に係る根管治療装置を図示する図面である。
【図１４ａ】図１３の加圧部の加圧でのみ根管の充填を遂行した時の充填結果を拡大して示した写真である。
【図１４ｂ】図１３の加圧部の加圧および空気の吸入を同時に遂行して根管の充填を遂行した時の充填結果を拡大して示した写真である。
【図１４ｃ】図１３のさらに他の実施例に係る加圧部の加圧、空気の吸入および超音波の印加を同時に遂行して根管の充填を遂行した時の充填結果を拡大して示した写真である。
【図１５】本発明のさらに他の実施例に係る根管治療装置を図示する図面である。
【発明を実施するための形態】
【００４１】
本特許出願は２０１７年０５月２４日付出願された大韓民国特許出願第２０１７−００６４１１７号に基づいて優先権を主張したものであって、該当出願の全体内容が本特許出願に参照として含まれる。
【００４２】
以下、実施例を例示的な図面を通じて詳細に説明する。各図面の構成要素に参照符号を付加するにおいて、同一の構成要素については、たとえ他の図面上に表示されるとしても、できるだけ同一符号を付している。また、実施例の説明において、関連した公知の構成または機能に対する具体的な説明が実施例に対する理解を妨害すると判断される場合にはその詳細な説明は省略する。
【００４３】
また、実施例の構成要素の説明において、第１、第２、Ａ、Ｂ、（ａ）、（ｂ）等の用語を使うことができる。このような用語はその構成要素を他の構成要素と区別するためのものに過ぎず、その用語によって該当構成要素の本質や順または順序などが限定されるものではない。ある構成要素が他の構成要素に「連結」、「結合」または「接続」されると記載された場合、その構成要素はその他の構成要素に直接的に連結されたり接続されてもよいが、各構成要素の間にさらに他の構成要素が「連結」、「結合」または「接続」され得ると理解されるべきである。
【００４４】
いずれか一つの実施例に含まれた構成要素と、共通の機能を含む構成要素は、他の実施例において同じ名称を使って説明することにする。反対の記載がない限り、いずれか一つの実施例に記載した説明は他の実施例にも適用され得、重複する範囲で具体的な説明は省略することにする。
【００４５】
以下、本発明の実施例によって根管治療装置を説明するための図面を参照して本発明について説明する。
【００４６】
まず、本発明に係る根管治療装置の説明に先立ち、根管を治療する過程を説明する。
【００４７】
図１ａ〜図１ｄは根管治療過程を図示する図面である。
【００４８】
図１ａは根管治療過程のうち歯髄組織に炎症が発生した姿を概略的に図示する図面であり、図１ｂは根管治療過程のうち感染した歯髄組織を除去した姿を概略的に図示する図面であり、図１ｃは根管治療過程のうち根管の歯髄組織を除去する姿を概略的に図示する図面であり、図１ｄは根管治療過程のうち充填物の充填の姿を概略的に図示する図面である。
【００４９】
歯１００は外観とは異なり、その内部に歯髄１１０と呼ばれる、神経と血管が豊富な軟組織を有する。歯髄１１０は歯の根、すなわち歯根の終端まで延びており、歯根端の孔（歯根端孔）を通じて歯根を囲んでいる歯茎骨の中の歯周靭帯の血管と神経に連結されている。
【００５０】
図１ａのように、歯髄１１０組織が感染されて炎症が発生すると、図１ｂのように歯１００の内部に接近するための孔（ｏｐｅｎｉｎｇ）を形成し、感染された歯髄１１０の組織を除去する。
【００５１】
この時、図１ｃのように、根管１２０にも入ることができるように考案された組織除去機器（ｅｎｄｏｄｏｎｔｉｃ  ｆｉｌｅ）を利用して、歯髄腔はもちろん歯の根（歯根）の中の歯髄１１０まで除去し、洗浄液で根管１２０を洗浄して残っている歯髄１１０組織や変性された歯組織を除去する。
【００５２】
次いで、図１ｄのように、根管１２０に別途の充填物１３０を充填させて入口をクラウン１４０で密閉させ、根管１２０での細菌の増殖を防止する。
【００５３】
以下、説明する本発明の根管治療装置は、根管１２０の洗浄を行う根管治療装置２００，３００および根管１２０内に充填物１３０を充填させる根管治療装置４００および根管の洗浄および根管の充填を行う根管治療装置５００に関する。
【００５４】
まず、図２〜図４を参照して本発明の一実施例に係る根管１２０内洗浄を行う根管治療装置２００を説明する。
【００５５】
図２は本発明の一実施例に係る根管治療装置を図示する図面であり、図３は本発明の一実施例に係るノズルの側断面図であり、図４は図３の底面図であり、図５は本発明に係る根管治療装置を利用して洗浄を行う過程を拡大して示した写真である。
【００５６】
本発明の一実施例に係る根管治療装置２００は、貯蔵容器２１０、超音波発振器２２０およびノズル２３０を含んで構成され得る。
【００５７】
貯蔵容器２１０は、外部に別途に提供される洗浄液貯蔵部（図示されず）に貯蔵された洗浄液をポンプ等で供給を受けて内部に収容する。貯蔵容器２１０の一側には洗浄液が供給される流入口２１２が形成され得る。
【００５８】
洗浄液貯蔵部に貯蔵される洗浄液として、１〜５次亜塩素酸ナトリウム（ＮａＯＣｌ）が使われ得るが、これに限定されるものではない。
【００５９】
超音波発振器２２０は貯蔵容器２１０の内側または外側に形成されて貯蔵容器２１０の内部に収容された洗浄液に超音波を印加させる。この時、超音波発振器２２０の周波数を調節して、超音波によって洗浄液に気泡Ｂが形成されるようにすることが好ましい。超音波が洗浄液に印加される時、負圧が低い疎な（ｒａｒｅｆａｃｔｉｏｎ）部分で水中に存在する核（ｎｕｃｌｅｉ）がキャビテーション気泡Ｂを形成することができる。また、後述するノズル２３０の噴射口２３２を通過する時に流速が増加することになるが、この時、貯蔵容器２１０内の気泡Ｂはさらに小さい大きさの微細気泡に変わり得る。
【００６０】
この気泡Ｂは超音波の振動数と同じ周期で振動するようになるが、この振動によって気泡Ｂ周辺の汚染物質を除去させることができる。また、負圧が高い部分で気泡Ｂが崩壊する時、マイクロジェット（ｍｉｃｒｏ  ｊｅｔ）が噴射されてこのマイクロジェットによった洗浄効果も得ることができる。
【００６１】
ノズル２３０は、前記貯蔵容器２１０内で超音波が印加された洗浄液を根管１２０の周囲に噴射させる。ノズル２３０には超音波が印加された洗浄液を根管１２０の周囲に噴射させる噴射口２３２が形成された噴射管２３１および根管１２０の洗浄液を吸入する吸入口２３４が形成された吸入管２３３が形成され得る。
【００６２】
好ましくは、図３および図４に図示されているように、噴射口２３２は噴射管２３１を直線状に貫通するホールで形成されて、貯蔵容器２１０内の超音波が印加されて気泡Ｂが発生した洗浄液を根管１２０の周囲に噴射させ、吸入口２３４は噴射口２３２を囲むように環状に形成され、洗浄を終えて根管１２０に位置する洗浄液を再び吸入して排出管２３５を通じて外部に排出させるようにする。したがって、吸入口２３４を通じて洗浄液を吸入させることができるように、吸入口２３４には吸入ポンプ（図示されず）が連結形成され得る。
【００６３】
噴射口を通じて根管１２０の周囲に吐出された洗浄液は、歯の歯根端（ａｐｅｘ）部分を通って歯茎に流出する時、痛みを誘発したり組織が壊死する副作用を生じさせ得る。したがって、吸入口２３４を通じて洗浄液を吸入させることによって、施術中に洗浄液が歯の外に漏れないようにすることができる。また、ノズルの噴射方向が直進または歯の内壁部分に向かうので、多様な形態の根管においても洗浄液が同時に均一に流入され得るため、洗浄液が歯の外に漏れない。
【００６４】
また、噴射口２３２を通じて吐出された洗浄液で洗浄を遂行し、洗浄を終えた洗浄液を吸入口２３４を通じて排出させる過程を同時に連続的に行うことによって洗浄を終えて汚染された洗浄液を除去させ、新しい洗浄液を供給するようにすることによって洗浄液の円滑な循環を誘導して洗浄効率をさらに向上させることができる。
【００６５】
以下、図２〜図４を参照して説明した根管治療装置２００を利用して洗浄を行う動作を説明する。
【００６６】
洗浄液が貯蔵された洗浄液貯蔵部からポンプによって洗浄液を持続的に貯蔵容器２１０の内部に供給することができる。
【００６７】
超音波発振器２２０は貯蔵容器２１０内に貯蔵された洗浄液に超音波を印加させて振動を発生させるが、この時、超音波を印加させて洗浄液に気泡Ｂを形成させることが好ましい。
【００６８】
超音波が印加されて気泡Ｂが生成された洗浄液は、ノズル２３０の噴射口２３２を通じて根管１２０の周囲に噴射される。本発明では、吸入管のような個体物質を挿入するわけではないため、別途の根管１２０の拡張が不要な貯蔵的な洗浄が可能である。また、ノズル２３０から出る噴射流による洗浄であるので、狭い歯の根管１２０内に洗浄液の浸透が容易であり、歯の末端部分で優秀な洗浄力を得ることができる。
【００６９】
また、超音波が印加された洗浄液の噴射流は、超音波が印加されていない噴射流に比べていくつかの長所がある。第１に、超音波が印加された噴射流が根管１２０の内壁に沿って流れる時、超音波の振動によって根管１２０の内壁の主面に発生する境界層（ｂｏｕｎｄａｒｙ  ｌａｙｅｒ）の厚さが薄くなる。この境界層が薄くなる効果によって、本願発明の主な洗浄原理である噴射流の動圧（ｄｙｎａｍｉｃ  ｐｒｅｓｓｕｒｅ）が汚染物質にさらに効果的に伝達され得る。第２に、噴射流内に存在するキャビテーション気泡Ｂが超音波場内で振動および破裂し、これによる洗浄効果によってさらに優秀な洗浄効果を有することができる。本発明にしたがって、超音波によって気泡Ｂが生成された洗浄液を通じて洗浄が遂行されるメカニズムを図５で時間順に図示している。
【００７０】
この時、噴射口２３２を通じて洗浄液を噴射させるとともに、噴射口２３２の周囲に形成された吸入口２３４を通じて洗浄を終えた洗浄液を吸入することができる。この時、吸入圧力は吸入ポンプ（図示されず）を利用して制御することができるが、歯根端（ａｐｅｘ）部分で洗浄液が歯茎に流出しないように、ＣＶＰ（ｃｅｎｔｒａｌ  ｖｅｎｏｕｓ  ｐｒｅｓｓｕｒｅ、中心静脈圧）を越えない程度の圧力で制御することが好ましい。
【００７１】
このように噴射口２３２を介しての洗浄液の噴射と吸入口２３４を介しての洗浄液の吸入が同時に行われるようにして、洗浄液の円滑な流動を誘導して洗浄効率を向上させるとともに、洗浄液が施術中に歯の外に漏れて副作用を起こすことを防止することができる。また、ノズルの噴射方向が直進または歯の内壁部分に向かうので、多様な形態の根管においても洗浄液が同時に均一に流入され得るため、洗浄液が歯の外に漏れない。
【００７２】
以下では、図６および図７を参照して、本発明の他の実施例に係る根管１２０内洗浄を行う根管治療装置３００を説明する。
【００７３】
図６〜図７を参照すると、根管治療装置３００は貯蔵容器３１０、超音波発振器３２０およびノズル３３０を含んで構成され得る。
【００７４】
貯蔵容器３１０および超音波発振器３２０は、一実施例の根管治療装置２００と比較して同じ構成要素を含んでいるため説明を省略する。
【００７５】
ノズル３３０は前記貯蔵容器３１０内で超音波が印加された洗浄液を根管１２０の周囲に噴射させる。ノズル３３０には超音波が印加された洗浄液を噴射させる噴射口３３２が形成された噴射管３３１、根管１２０の洗浄液を吸入する吸入口３３４が形成された吸入管３３３および噴射管３３１の一端から突出形成されるものの、噴射口３３２から噴射される洗浄液を０゜〜９０゜傾けて噴射する傾斜口３３７が形成される傾斜管３３６を含んで構成され得る。
【００７６】
噴射口３３２は噴射管３３１を直線状に貫通するホールで形成されて、貯蔵容器３１０内の超音波が印加されて気泡Ｂが発生した洗浄液を根管１２０の中心の周囲に噴射するが、傾斜口３３７が洗浄液を根管１２０の中心から０゜〜９０゜傾けて噴射する。
【００７７】
例えば、根管１２０は図６に図示された通り、互いに異なる断面積を有して形成され得る。この場合、互いに異なる断面積を有する根管１２０のうち断面積の小さい根管内に洗浄液が浸透するには、断面積の大きい根管よりもさらに大きな圧力が必要である。この時、根管１２０の中心に噴射口３３２が直線に洗浄液を噴射すると、洗浄液は断面積の大きい根管内にのみ流入するようになり、このため、断面積の小さい根管の洗浄は難しくなる。断面積の小さい根管の洗浄のためには、噴射される洗浄液の流量を高めなければならないが、この場合、断面積の大きい根管の歯根端（ａｐｅｘ）部分を通って歯茎に洗浄液が流出する問題が発生し得る。
【００７８】
ここで、他の実施例に係る根管治療装置３００は傾斜口３３７を通じて洗浄液を０゜〜９０゜傾けて噴射することができる。傾斜口３３７は洗浄液を傾けて噴射することによって、断面積が互いに異なる複数の根管１２０を均一に洗浄し、洗浄液が歯茎に流出しないように傾斜口の噴出方向を調節することができる。また、洗浄液は根管の歯根端（ａｐｅｘ）部分を通って歯茎に流出せずに吸入口３３４を通じて吸入されて排出管３３５を通じて外部に排出され得る。
【００７９】
一方、根管治療装置３００は傾斜口３３７を通じて洗浄液を０゜〜９０゜傾けて噴射するものの、断面積の大きい根管方向に洗浄液を噴出することができる。この場合、洗浄液は断面積の大きい根管には流入するが断面積の小さい根管には流入しないことができる。傾斜口３３７を通じての洗浄液の噴射と吸入口３３４を通じての洗浄液の吸入が同時に行われるようにして、洗浄液の円滑な流動を誘導して洗浄効率を向上させるとともに洗浄液が施術中に歯の外に漏れて副作用を起こすことを防止することができる。また、ノズルの噴射方向が直進または歯の内壁部分に向かうので、多様な形態の根管においても洗浄液が同時に均一に流入され得るため、洗浄液が歯の外に漏れない。
【００８０】
以下では図８を参照して、さらに他の実施例に係る根管１２０内洗浄を行う根管治療装置４００について説明する。さらに他の実施例に係る根管治療装置４００は、貯蔵容器３１０、超音波発振器３２０およびノズル４３０を含んで構成され得る。ここで、貯蔵容器３１０および超音波発振器３２０は、一実施例の根管治療装置２００と比較して同じ構成要素を含んでいるため図面および説明を省略する。
【００８１】
図８は、本発明のさらに他の実施例に係るノズルの側断面図である。
【００８２】
図８を参照すると、ノズル４３０は前記貯蔵容器３１０内で超音波が印加された洗浄液を根管１２０の周囲に噴射させる。ノズル４３０は、超音波が印加された洗浄液を噴射させる噴射口４３２が形成された噴射管４３１、根管１２０の洗浄液を吸入する吸入口４３４が形成された吸入管４３３、吸入口４３３と連結されて吸入された洗浄液を外部に排出する排出管４３５および噴射口４３２から噴射される洗浄液を０゜〜９０゜傾けて噴射する傾斜口４３７が形成され、噴射管４３１の一端から突出形成される傾斜管４３６を含んで構成され得る。
【００８３】
噴射口４３２は噴射管４３１を直線に貫通するホールで形成されて、貯蔵容器３１０内の超音波が印加されて気泡Ｂが発生した洗浄液を根管１２０の中心の周囲に噴射する。
【００８４】
ここで、傾斜口４３７は複数で備えられて、洗浄液を根管１２０の中心から０゜〜９０゜傾けて噴射する。例えば、傾斜口４３７が形成された傾斜管４３６は噴射管４３１の洗浄液の噴射方向の一端から突出形成されるものの、少なくとも一つ以上備えられて放射状に配置され得る。ただし、これに限定されず、傾斜管４３６は噴射管の一端から一つが突出形成され、内部の傾斜口４３７が複数個が形成されてもよい。傾斜口４３７の個数は限定されず、根管１２０の個数および配置により適切に変形されてもよい。
【００８５】
複数の傾斜口５３７は洗浄液を傾けて複数の方向に噴射することによって、断面積にかかわらず複数の根管を均一に洗浄し、洗浄液が歯茎に流出しないように洗浄液の噴出方向を調節することができる。また、洗浄液は根管の歯根端（ａｐｅｘ）部分を通って歯茎に流出せずに吸入口３３４を通じて吸入されて排出管３３５を通じて外部に排出され得る。
【００８６】
傾斜口４３７を通じての洗浄液の噴射と吸入口４３４を通じての洗浄液の吸入が同時に行われるようにして、洗浄液の円滑な流動を誘導して洗浄効率を向上させるとともに洗浄液が施術中に歯の外に漏れて副作用を起こすことを防止することができる。また、ノズル４３０の噴射方向が直進または歯の内壁部分に向かうので、多様な形態の根管においても洗浄液が同時に均一に流入され得るため、洗浄液が歯の外に漏れない。
【００８７】
以下では図９〜図１０を参照して、さらに他の実施例に係る根管１２０内洗浄を行う根管治療装置５００について説明する。さらに他の実施例に係る根管治療装置５００は、貯蔵容器３１０、超音波発振器３２０およびノズル５３０を含んで構成され得る。ここで、貯蔵容器３１０および超音波発振器３２０は、一実施例の根管治療装置２００と比較して同じ構成要素を含んでいるため、図面および説明を省略する。
【００８８】
図９は本発明のさらに他の実施例に係るノズルの側断面図であり、図１０は図９のＸ−Ｘ切開線に沿った正断面図である。
【００８９】
図９〜図１０を参照すると、ノズル５３０は前記貯蔵容器３１０内で超音波が印加された洗浄液を根管１２０の周囲に噴射させる。ノズル５３０は、超音波が印加された洗浄液を噴射させる噴射口５３２が形成された噴射管５３１、根管１２０の洗浄液を吸入する吸入口５３４が形成された吸入管５３３、吸入口５３４と連結されて洗浄液を外部に排出する排出管５３５および噴射口５３２から噴射される洗浄液を噴射口５３２の一端の中心から放射状に噴射する傾斜口５３７が形成され、噴射管５３１の一端から突出形成される傾斜管５３６を含む。
【００９０】
例えば、傾斜口５３７は噴射口５３２から延び、傾斜管５３６の外側面全体に亘って周りに沿って形成され得る。換言すれば、傾斜口５３７は噴射口５３２の一端の中心から放射状全体に亘って噴射できるように形成される。傾斜口５３７は洗浄液の噴出方向を０゜〜９０゜傾けて噴射できるように形成される。
【００９１】
噴射口４３２は噴射管５３１を直線に貫通するホールで形成されて、貯蔵容器３１０内の超音波が印加されて気泡Ｂが発生した洗浄液を根管１２０の中心の周囲に噴射するが、傾斜口５３７は噴射口５３２から噴出する洗浄液を０゜〜９０゜傾けて噴射するものの、噴射口５３２の同心を基準として放射状全体に噴射する。
【００９２】
この場合、傾斜口５３７は洗浄液を傾けて根管１２０の中心から放射状に全体に亘って噴射することによって、断面積にかかわらず複数の根管を均一に洗浄し、洗浄液が歯茎に流出しないようにすることができる。
【００９３】
以下では図１１〜図１２を参照して、さらに他の実施例に係る根管１２０内洗浄を行う根管治療装置６００について説明する。さらに他の実施例に係る根管治療装置６００は、貯蔵容器３１０、超音波発振器３２０およびノズル６３０を含んで構成され得る。ここで、貯蔵容器３１０および超音波発振器３２０は、一実施例の根管治療装置２００と比較して同じ構成要素を含んでいるため、図面および説明を省略する。
【００９４】
図１１は本発明のさらに他の実施例に係るノズルの側断面図であり、図１２は図１１の底面図である。
【００９５】
図１１〜図１２を参照すると、ノズル６３０は前記貯蔵容器３１０内で超音波が印加された洗浄液を根管１２０周囲に噴射させる。ノズル６３０には超音波が印加された洗浄液を噴射させる噴射口６３２が形成された噴射管５３１、根管１２０の洗浄液を吸入する吸入口６３４が形成された吸入管６３３、吸入口５３４と連結されて洗浄液を外部に排出する排出管５３５および噴射口６３２から噴射される洗浄液を根管１２０周囲に噴射する傾斜口６３７が形成され、噴射管６３１の一端から突出形成される傾斜管６３６を含む。
【００９６】
傾斜管６３６の根管１２０方向の端部は複数の傾斜口が形成される。例えば、傾斜管６３６の一端の面、すなわち根管１２０側の面に複数の傾斜口６３７が所定の間隔で離隔して形成され得る。傾斜口６３７は断面積が噴射口より小さく形成されて複数で傾斜面の一端面に備えられ得る。
【００９７】
複数の傾斜口６３７は噴射口６３２から噴射される洗浄液を分散して根管１２０に噴射する。この時、根管１２０に噴射される洗浄液は断面積の小さい複数の流れで噴射されるので、根管１２０断面積にかかわらず複数の根管１２０を均一に洗浄し、洗浄液が歯茎に流出しないようにすることができる。
【００９８】
一方、複数の傾斜口６３７は洗浄液の噴出方向を０゜〜９０゜傾けて噴射できるように形成され得る。例えば、傾斜管６３６の一端面は中心が外郭より突出する形状を有し得、傾斜口６３は傾斜管６３６の面に沿って形成されて洗浄液を所定角度傾けて噴射することが可能であり得る。ただし、これに限定されず、複数の傾斜口がそれぞれ角度を有して形成されてもよい。
【００９９】
一方、前述した根管治療装置２００，３００により根管１２０内の汚染物質をｓｃｏｒｅ０水準に除去したとしても、根管１２０の密閉が完ぺきでなければ根管１２０内に残存する細菌が栄養分の供給を受けて増殖する危険がある。
【０１００】
したがって、以下で説明する根管治療装置は前述した根管治療装置２００と構成は類似するものの、根管１２０内充填物１３０を充填させるようにする。以下、本発明の他の実施例により根管１２０内充填物１３０を充填させる根管治療装置について図１３および図１４ａ〜図１４ｃを参照して説明する。
【０１０１】
図１３は本発明のさらに他の実施例に係る根管治療装置を図示する図面であり、図１４ａ〜図１４ｃは図１３の根管治療装置による方法と従来の方法を利用して根管の充填を遂行した時の充填結果を拡大して示した写真である。
【０１０２】
ここで、図１４ａは図１３の加圧部の加圧でのみ根管の充填を遂行した時の充填結果を拡大して示した写真であり、図１４ｂは図１３の加圧部の加圧および空気の吸入を同時に遂行して根管の充填を遂行した時の充填結果を拡大して示した写真であり、図１４ｃは図１３のさらに他の実施例に係る加圧部の加圧、空気の吸入および超音波の印加を同時に遂行して根管の充填を遂行した時の充填結果を拡大して示した写真である。
【０１０３】
図１３を参照すると、本発明のさらに他の実施例に係る根管治療装置７００は、貯蔵容器７１０、超音波発振器７２０、ノズル７３０を含んで構成され得る。
【０１０４】
貯蔵容器７１０は外部の充填物貯蔵部（図示されず）から充填物１３０の供給を受けて内部に充填物１３０を収容することになる。
【０１０５】
本発明で使われる充填物１３０は流動性のある根管充填物質（ｆｌｏｗａｂｌｅ  ｒｏｏｔ  ｃａｎａｌ  ｆｉｌｌｉｎｇ  ｍａｔｅｒｉａｌｓ）で形成され得るが、例えばセメント（ｃｅｍｅｎｔ）が主要構成成分（約８０％）として固まる時、体積が約２％膨張することによって高い密閉性を有するカルシウムシリケート（Ｃａｌｃｉｕｍ  Ｓｉｌｉｃａｔｅ）からなり得るが、流動性があるのであれば充填物１３０の種類はこれに限定されるものではない。
【０１０６】
加圧部７１２は、貯蔵容器７１０内の充填物１３０を加圧して充填物１３０を後述するノズル７３０の噴射口２３２から吐出させる。本発明で貯蔵容器７１０と加圧部７１２は図示されているように、シリンダー７１０とピストン７１２でｓｙｒｉｎｇｅの形態で形成され得る。この時、ピストン７１２はモーターの力で自動で上下移動するようにしてシリンダー７１０内部に満たされている充填物１３０を加圧させるようにすることができる。
【０１０７】
超音波発振器７２０は貯蔵容器７１０内に貯蔵された充填物１３０に超音波を印加させる。カルシウムシリケートの内部粒子は互いに結合力が強いため粘度が高いが、カルシウムシリケートに超音波を印加させることによってカルシウムシリケート内部の粒子間の結合を破ることができる。したがって、超音波発振器７２０により充填物１３０に超音波を印加させることによって充填物１３０の粘度を低くすることができるので、充填物１３０を円滑に流動させることができる。
【０１０８】
ノズル７３０は図３および図４を参照して前述したノズル２３０と同じ形態で噴射管２３１、噴射口２３２吸入管２３３および吸入口２３４が形成され得る。また、これに限定されず、ノズル７３０は図６および図７を参照して前述したノズル３３０と同じ形態で噴射管３３１、噴射口３３２吸入管３３３、吸入口３３４、傾斜管３３６および傾斜口３３７が形成され得る。また、図８を参照して前述したノズル４３０、図９〜図１０を参照して前述したノズル５３０または図１１〜図１２を参照して前述したノズル６３０と同じ形態で形成されてもよい。
【０１０９】
本実施例では吸入口２３４を通じて根管１２０内の空気を吸入して外部に排出させる。根管１２０内の空気は充填物１３０が充填される時に抵抗として作用し得るが、吸入口２３４を通じて根管１２０内の空気を除去させることができ、前述した通り、超音波発振器７２０により充填物１３０の流動性を向上させることができるので、歯の末端部分まで稠密に充填物１３０を充填させることができる。
【０１１０】
以下、図８を参照して説明した根管治療装置３００を利用して根管１２０内に充填物１３０を充填させる動作を説明する。
【０１１１】
充填物１３０が貯蔵された充填物貯蔵部（図示されず）から貯蔵容器、に充填物１３０を供給することができる。
【０１１２】
貯蔵容器７１０内に充填物１３０が供給されると、加圧部７１２により充填物１３０を加圧して圧力によってノズル７３０の噴射口２３２を通じて吐出させることができる。この時、超音波発振器７２０は貯蔵容器３１０内に収容された充填物１３０に超音波を印加させて充填物１３０の粘度を低くすることができる。したがって、充填物１３０の流動特性が向上し得る。
【０１１３】
ノズル７３０の噴射口２３２を通じて充填物１３０を根管１２０の周囲に吐出させるとともに、吸入口２３４では根管１２０内の空気を吸入して外部に排出させる。
【０１１４】
前記のように、超音波発振器７２０により充填物１３０の流動特性を向上させ、充填物１３０を根管１２０内に充填時に抵抗として作用する根管１２０内の空気を吸入口２３４を通じて除去させることによって、歯の末端まで稠密に充填物１３０を充填させることができる。
【０１１５】
一方、図６および図７を参照して前述したノズル３３０と同じ形態で備えられるノズル７３０を具備する根管治療装置７００は、充填物１３０が図６および図７で洗浄液とともに流動して、互いに異なる断面積を有する複数の根管内にも稠密に充填物１３０を充填させることができる。また、図６および図７を参照して前述したノズル３３０と同じ形態で備えられるノズル７３０を具備する根管治療装置７００は、根管の歯根端（ａｐｅｘ）部分を通って歯茎に充填物１３０が流出することを防止することができる。
【０１１６】
また、ノズル８３０は図８を参照して前述したノズル４３０、図９〜図１０を参照して前述したノズル５３０または図１１〜図１２を参照して前述したノズル６３０と同じ形態で形成され、前述したノズル４３０、５３０、６３０での洗浄液と同じ形態で充填物１３０が流動することが可能であり得る。
【０１１７】
図１４ａは加圧部７１２による加圧でのみ充填物１３０を根管１２０内に充填させる場合、歯の根管１２０内断面をＳＥＭ撮影で拡大して示した写真である。図１４ｂは加圧部７１２による加圧と吸入口２３４による根管１２０内空気の吸入を同時に遂行して充填物１３０を根管１２０内に充填させる場合、歯の根管１２０内断面をＳＥＭ撮影で拡大して示した写真である。図１４ｃは加圧部７１２による加圧と吸入口２３４による根管１２０内空気の吸入および超音波発振器７２０による超音波印加を同時に遂行して充填物１３０を根管１２０内に充填させる場合、歯の根管１２０内断面をＳＥＭ撮影で拡大して示した写真である。図１４ｃに図示されているように、加圧部７１２による加圧、根管１２０内空気の吸入、超音波印加を同時に遂行した場合、充填物１３０が根管１２０内に非常に稠密に充填されることが分かる。
【０１１８】
以下、図１５を参照して、本発明のさらに他の実施例により単一の根管治療装置で根管１２０の洗浄および充填を共に遂行できる根管治療装置５００を説明する。
【０１１９】
図１５は本発明のさらに他の実施例に係る根管治療装置を図示する図面である。
【０１２０】
図１５のさらに他の実施例に係る根管治療装置８００は、貯蔵容器８１０、超音波発振器８２０およびノズル８３０を含んで構成され得る。
【０１２１】
貯蔵容器８１０は外部に別途提供される洗浄液貯蔵部８４０に貯蔵された洗浄液をポンプ８４５等で供給を受けて内部に収容するか、外部に別途提供される充填物貯蔵部８５０に貯蔵された充填物１３０の供給を受けて内部に収容する。すなわち、本発明の根管治療装置８００が根管１２０の洗浄のために使われる場合、貯蔵容器８１０内に洗浄液を収容し、根管１２０の充填のために使われる場合、貯蔵容器８１０内に充填物１３０を収容することができる。
【０１２２】
また、図１３を参照して前述した通り、貯蔵容器８１０には加圧部８１２が形成され得るが、同様に根管治療装置８００が根管１２０の洗浄のために使われる場合、加圧部８１２は動作しないこともあり、根管１２０の充填のために使われる場合、貯蔵容器８１０内に収容された充填物１３０を加圧してノズル８３０を通じて吐出させるようにする。
【０１２３】
超音波発振器８２０は貯蔵容器８１０内に洗浄液が満たされる場合、洗浄液に超音波を印加させるが、この時、前述したように、気泡Ｂを生成するようにするということが好ましい。また、超音波発振器８２０は貯蔵容器８１０内に充填物１３０が満たされる場合、充填物１３０に超音波を印加させて前述したように、充填物１３０の粘度を低くするようにすることができる。
【０１２４】
ノズル８３０は図３および図４を参照して前述したノズル２３０と同じ形態で噴射管２３１、噴射口２３２吸入管２３３および吸入口２３４が形成され得る。また、これに限定されず、ノズル４３０は図６および図７を参照して前述したノズル３３０と同じ形態で噴射管３３１、噴射口３３２吸入管３３３、吸入口３３４、傾斜管３３６および傾斜口３３７が形成され得る。また、ノズル８３０は図８を参照して前述したノズル４３０、図９〜図１０を参照して前述したノズル５３０または図１１〜図１２を参照して前述したノズル６３０と同じ形態で形成されてもよい。
【０１２５】
同様に、図１０に係る実施例の根管治療装置８００が根管１２０の洗浄のために使われる場合には吸入口２３４を通じて洗浄液を吸入し、根管１２０の充填のために使われる場合には根管１２０内の空気を吸入するようにすることができる。
【０１２６】
以下、図１０を参照して説明した根管治療装置８００を利用して根管１２０を洗浄させて根管１２０内に充填物１３０を充填させる動作を説明する。
【０１２７】
前述した通り、図８を参照して説明した根管治療装置８００は、必要に応じて根管１２０の洗浄のための装置としてまたは根管１２０の充填のための装置として使うことができる。
【０１２８】
根管１２０の洗浄のための装置として使う場合には、充填物貯蔵部８５０から充填物１３０を貯蔵容器８１０内に供給することを遮断し、洗浄液貯蔵部８４０から洗浄液を貯蔵容器８１０内に供給するようにし、加圧部８１２は動作させない。この時、超音波発振器８２０により貯蔵容器８１０内に収容された洗浄液に超音波を印加させて気泡Ｂを生成することが好ましい。気泡Ｂが生成された洗浄液はノズル８３０の噴射口２３２を通じて噴射されて根管１２０を洗浄することになる。また、ノズル８３０に形成された吸入口２３４を通じて前述した通り、根管１２０内の洗浄液を吸入して排出させることができる。
【０１２９】
また、根管１２０の充填のための装置として使われる場合には、洗浄液貯蔵部８４０から洗浄液を貯蔵容器８１０内に供給することを遮断し、充填物貯蔵部８５０から充填物１３０を貯蔵容器８１０内に供給するようにする。貯蔵容器８１０の内部が充填物１３０で満たされると、加圧部８１２を動作させてノズル８３０の噴射口２３２を通じて充填物１３０を根管１２０の周囲に吐出させることになる。この時、超音波発振器８２０が貯蔵容器８１０内の充填物１３０に超音波を印加させて粘性が高い充填物１３０の粘性を低くして流動特性を向上させることができる。前記のように、根管１２０内に充填物１３０を満たす間、吸入口２３４を通じて根管１２０内の空気を吸入することによって、根管１２０内に充填物１３０をさらに稠密に充填させることができる。
【０１３０】
一方、図６および図７を参照して前述したノズル３３０と同じ形態で備えられるノズル８３０を具備する根管治療装置８００は、洗浄液が互いに異なる断面積を有する複数の根管を洗浄することができる。また、根管治療装置８００は充填物１３０が図６および図７で洗浄液とともに流動して互いに異なる断面積を有する複数の根管内にも稠密に充填物１３０を充填させることができる。また、図６および図７を参照して前述したノズル３３０と同じ形態で備えられるノズル８３０を具備する根管治療装置８００は、根管の歯根端（ａｐｅｘ）部分を通って歯茎に洗浄液または充填物１３０が流出することを防止することができる。
【０１３１】
また、ノズル８３０は図８を参照して前述したノズル４３０、図９〜図１０を参照して前述したノズル５３０または図１１〜図１２を参照して前述したノズル６３０と同じ形態で形成され、前述したノズル４３０、５３０、６３０の洗浄液と同じ形態で洗浄液および充填物１３０が流動することが可能であり得る。
【０１３２】
以上の通り、たとえ限定された図面によって実施例が説明されたが、該当技術分野で通常の知識を有する者であれば前記の記載から多様な修正および変形が可能である。例えば、説明された技術が説明された方法と異なる順序で遂行されたり、および／または説明された構造、装置などの構成要素が説明された方法と異なる形態で結合または組み合わせられたり、他の構成要素または均等物によって対峙または置換されても適切な結果が達成され得る。
【図１ａ】
2020520742.tif 000003
【図１ｂ】
2020520742.tif 000004
【図１ｃ】
2020520742.tif 000005
【図１ｄ】
2020520742.tif 000006
【図２】
2020520742.tif 000007
【図３】
2020520742.tif 000008
【図４】
2020520742.tif 000009
【図５】
2020520742.tif 000010
【図６】
2020520742.tif 000011
【図７】
2020520742.tif 000012
【図８】
2020520742.tif 000013
【図９】
2020520742.tif 000014
【図１０】
2020520742.tif 000015
【図１１】
2020520742.tif 000016
【図１２】
2020520742.tif 000017
【図１３】
2020520742.tif 000018
【図１４ａ】
2020520742.tif 000019
【図１４ｂ】
2020520742.tif 000020
【図１４ｃ】
2020520742.tif 000021
【図１５】
2020520742.tif 000022
【国際調査報告】
2020520742.tif 000023
2020520742.tif 000024
2020520742.tif 000025
2020520742.tif 000026